(57)【特許請求の範囲】
【請求項１】
コンピュータで読み取り可能なプログラムであって、
前記プログラムは、前記コンピュータを、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、
を備えた音量レベル操作装置として機能させ、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダの最大値側端部を目盛りの下限値側に移動させる操作を受け付けた場合、前記複数のチャンネルフェーダのうち、目盛りの下限値に到達していないチャンネルフェーダを、前記マスタフェーダの最大値側端部の移動に合わせて、目盛りの下限値側に移動させ、
前記マスタフェーダの最大値側端部が目盛りの上限値に到達した状態で、前記マスタフェーダの最小値側端部を目盛りの上限値側に移動させる操作を受け付けた場合、前記複数のチャンネルフェーダのうち、目盛りの上限値に到達していないチャンネルフェーダを、前記マスタフェーダの最小値側端部の移動に合わせて、目盛りの上限値側に移動させる
ことを特徴とするコンピュータで読み取り可能なプログラム。
【請求項２】
コンピュータで読み取り可能なプログラムであって、
前記プログラムは、前記コンピュータを、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、
を備えた音量レベル操作装置として機能させ、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダの最小値側端部を目盛りの下限値から一旦離して、所定時間内に再び目盛りの最小値に到達させる操作がなされた場合、前記複数のチャンネルフェーダのうち目盛りの下限値に到達していないすべてのチャンネルフェーダを目盛りの下限値に移動させ、
前記マスタフェーダの最大値側端部が目盛りの上限値に到達した状態で、前記マスタフェーダの最大値側端部を目盛りの上限値から一旦離して、所定時間内に再び目盛りの上限値に到達させる操作がなされた場合、前記複数のチャンネルフェーダのうち、目盛りの上限値に到達していないすべてのチャンネルフェーダを目盛りの上限値に移動させる
ことを特徴とするコンピュータで読み取り可能なプログラム。
【請求項３】
コンピュータで読み取り可能なプログラムであって、
前記プログラムは、前記コンピュータを、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、
を備えた音量レベル操作装置として機能させ、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダをダブルクリックする操作がなされた場合、前記複数のチャンネルフェーダのうち目盛りの下限値に到達していないすべてのチャンネルフェーダを目盛りの下限値に移動させ、
前記マスタフェーダの最大値側端部が目盛りの上限値に到達した状態で、前記マスタフェーダをダブルクリックする操作がなされた場合、前記複数のチャンネルフェーダのうち、目盛りの上限値に到達していないすべてのチャンネルフェーダを目盛りの上限値に移動させる
ことを特徴とするコンピュータで読み取り可能なプログラム。
【請求項４】
複数のオーディオ機器の音量レベルを調整する音量レベル操作装置であって、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、を備え、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダの最大値側端部を目盛りの下限値側に移動させる操作を受け付けた場合、前記複数のチャンネルフェーダのうち、目盛りの下限値に到達していないチャンネルフェーダを、前記マスタフェーダの最大値側端部の移動に合わせて、目盛りの下限値側に移動させ、
前記マスタフェーダの最大値側端部が目盛りの上限値に到達した状態で、前記マスタフェーダの最小値側端部を目盛りの上限値側に移動させる操作を受け付けた場合、前記複数のチャンネルフェーダのうち、目盛りの上限値に到達していないチャンネルフェーダを、前記マスタフェーダの最小値側端部の移動に合わせて、目盛りの上限値側に移動させる
ことを特徴とする音量レベル操作装置。
【請求項５】
複数のオーディオ機器の音量レベルを調整する音量レベル操作装置であって、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、を備え、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダの最小値側端部を目盛りの下限値から一旦離して、所定時間内に再び目盛りの最小値に到達させる操作がなされた場合、前記複数のチャンネルフェーダのうち目盛りの下限値に到達していないすべてのチャンネルフェーダを目盛りの下限値に移動させ、
前記マスタフェーダの最大値側端部が目盛りの上限値に到達した状態で、前記マスタフェーダの最大値側端部を目盛りの上限値から一旦離して、所定時間内に再び目盛りの上限値に到達させる操作がなされた場合、前記複数のチャンネルフェーダのうち、目盛りの上限値に到達していないすべてのチャンネルフェーダを目盛りの上限値に移動させる
ことを特徴とする音量レベル操作装置。
【請求項６】
複数のオーディオ機器の音量レベルを調整する音量レベル操作装置であって、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、を備え、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダをダブルクリックする操作がなされた場合、前記複数のチャンネルフェーダのうち目盛りの下限値に到達していないすべてのチャンネルフェーダを目盛りの下限値に移動させ、
前記マスタフェーダの最大値側端部が目盛りの上限値に到達した状態で、前記マスタフェーダをダブルクリックする操作がなされた場合、前記複数のチャンネルフェーダのうち、目盛りの上限値に到達していないすべてのチャンネルフェーダを目盛りの上限値に移動させる
ことを特徴とする音量レベル操作装置。
【発明の詳細な説明】
【技術分野】
【０００１】
本発明は、複数のオーディオ機器の音量レベル操作を受け付ける技術に関する。
【背景技術】
【０００２】
従来、複数のオーディオ機器の音量レベルを個別に調整したり、一括して調整したりすることが可能な音量レベル操作装置が知られている。例えば、特許文献１に記載のマルチゾーンシステムにおいて、コントローラは、ゾーングループに属する複数のマルチメディアプレーヤのそれぞれに対応付けられた複数のチャンネルフェーダ（オーディオボリューム）と、マスタフェーダ（グループオーディオボリューム）と、を有するコントロール画面を、グラフィカルユーザインターフェースに表示する。ここで、チャンネルフェーダは、対応付けられたマルチメディアプレーヤの音量レベル操作を個別に受け付けるためのリニアフェーダである。コントローラは、チャンネルフェーダに対応付けられたマルチメディアプレーヤに、このチャンネルフェーダが指示する目盛り値に応じた音量レベルに調整するための制御信号を出力する。また、マスタフェーダは、ゾーングループに属する複数のマルチメディアプレーヤの音量レベル操作を一括して受け付けるためのリニアフェーダである。コントローラは、マスタフェーダの移動に合わせて、コントロール画面内のすべてのチャンネルフェーダを、これらのチャンネルフェーダが指示する目盛り値の差分（音量レベル差）を維持したまま、マスタフェーダの移動方向と同方向に一括で移動させる。ここで、マスタフェーダは、コントロール画面内の複数のチャンネルフェーダがそれぞれ指示する目盛り値の平均値あるいはその中間値を指示する位置に配置されるように設定されている。
【先行技術文献】
【特許文献】
【０００３】
【特許文献１】米国特許第７５７１０１４号明細書
【発明の概要】
【発明が解決しようとする課題】
【０００４】
上述したように、特許文献１に記載のマルチゾーンシステムにおいて、コントローラは、マスタフェーダの移動に合わせて、コントロール画面内のすべてのチャンネルフェーダを、これらのチャンネルフェーダが指示する目盛り値の差分（つまり、これらのチャンネルフェーダの位置関係）を維持したまま、マスタフェーダの移動方向と同方向に一括で移動させる。ここで、マスタフェーダは、コントロール画面内の複数のチャンネルフェーダがそれぞれ指示する目盛り値の平均値あるいは中間値を指示する位置に配置されている。このため、コントロール画面内の複数のチャンネルフェーダのなかで最小の目盛り値を指示しているチャンネルフェーダが目盛りの下限値に到達した際にマスタフェーダが指示している目盛り値の位置でマスタフェーダの移動が制限される。同様に、コントロール画面内の複数のチャンネルフェーダのなかで最大の目盛り値を指示しているチャンネルフェーダが目盛りの上限値に到達した際にマスタフェーダが指示している目盛り値の位置でマスタフェーダの移動が制限される。
【０００５】
したがって、ユーザは、マスタフェーダが目盛りの下限値または上限値に到達していないにもかかわらず、それ以上、マスタフェーダを、目盛りの下限値または上限値に近づける方向に移動させることができない。このため、目盛りに対するマスタフェーダの可動範囲を直感的に把握し難い。また、マスタフェーダに対する操作では、コントロール画面内のすべてのチャンネルフェーダを目盛りの下限値あるいは上限値まで移動させることができないため、これらのチャンネルフェーダを個別に操作しなければならない。
【０００６】
本発明は上記事情に鑑みてなされたものであり、その目的は、複数のオーディオ機器に対する音量レベル操作の操作性を向上させることにある。
【課題を解決するための手段】
【０００７】
上記課題を解決するために、本発明では、コントロール画面内の複数のチャンネルフェーダがそれぞれ指示している目盛り値のうちの最小値と同じ目盛り値を指示する位置にマスタフェーダの一方の端部である最小値側端部を表示させ、かつコントロール画面内の複数のチャンネルフェーダがそれぞれ指示している目盛り値のうちの最大値と同じ目盛り値を指示する位置にマスタフェーダの他方の端部である最大値側端部を表示させて、マスタフェーダに、コントロール画面内の複数のチャンネルフェーダがそれぞれ指示している目盛り値の最小値および最大値に応じた幅を持たせた。これにより、コントロール画面内の複数のチャンネルフェーダのうち、指示する目盛り値が最小のチャンネルフェーダが目盛りの下限値に到達した際に、マスタフェーダの最小値側端部も目盛りの下限値に到達し、かつ、コントロール画面内の複数のチャンネルフェーダのうち、指示する目盛り値が最大のチャンネルフェーダが目盛りの上限値に到達した際に、マスタフェーダの最大値側端部も目盛りの上限値に到達する。
【０００８】
ここで、マスタフェーダの最小値側端部が目盛りの下限値に到達した状態で、マスタフェーダの最大値側端部を目盛りの下限値側に移動させる操作を受け付けた場合、コントロール画面内の複数のチャンネルフェーダのうち、目盛りの下限値に到達していないチャンネルフェーダを、マスタフェーダの最大値側端部の移動に合わせて、目盛りの下限値側に移動させてもよい。あるいは、マスタフェーダの最小値側端部が目盛りの下限値に到達した状態で、マスタフェーダに対して所定の操作がなされた場合、コントロール画面内の複数のチャンネルフェーダのうち、目盛りの下限値に到達していないすべてのチャンネルフェーダを目盛りの下限値に移動させてもよい。
【０００９】
また、マスタフェーダの最大値側端部が目盛りの上限値に到達した状態で、マスタフェーダの最小値側端部を目盛りの上限値側に移動させる操作を受け付けた場合、コントロール画面内の複数のチャンネルフェーダのうち、目盛りの上限値に到達していないチャンネルフェーダを、マスタフェーダの最小値側端部の移動に合わせて、目盛りの上限値側に移動させてもよい。あるいは、マスタフェーダの最大値側端部が目盛りの上限値に到達した状態で、マスタフェーダに対して所定の操作がなされた場合、コントロール画面内の複数のチャンネルフェーダのうち目盛りの上限値に到達していないすべてのチャンネルフェーダを目盛りの上限値に移動させてもよい。
【００１０】
例えば、本発明の第一の態様は、コンピュータで読み取り可能なプログラムであって、
前記プログラムは、前記コンピュータを、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、
を備えた音量レベル操作装置として機能させ、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダの最大値側端部を目盛りの下限値側に移動させる操作を受け付けた場合、前記複数のチャンネルフェーダのうち、目盛りの下限値に到達していないチャンネルフェーダを、前記マスタフェーダの最大値側端部の移動に合わせて、目盛りの下限値側に移動させ、
前記マスタフェーダの最大値側端部が目盛りの上限値に到達した状態で、前記マスタフェーダの最小値側端部を目盛りの上限値側に移動させる操作を受け付けた場合、前記複数のチャンネルフェーダのうち、目盛りの上限値に到達していないチャンネルフェーダを、前記マスタフェーダの最小値側端部の移動に合わせて、目盛りの上限値側に移動させる。
また、本発明の第二の態様は、コンピュータで読み取り可能なプログラムであって、
前記プログラムは、前記コンピュータを、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、
を備えた音量レベル操作装置として機能させ、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダの最小値側端部を目盛りの下限値から一旦離して、所定時間内に再び目盛りの最小値に到達させる操作がなされた場合、前記複数のチャンネルフェーダのうち目盛りの下限値に到達していないすべてのチャンネルフェーダを目盛りの下限値に移動させ、
前記マスタフェーダの最大値側端部が目盛りの上限値に到達した状態で、前記マスタフェーダの最大値側端部を目盛りの上限値から一旦離して、所定時間内に再び目盛りの上限値に到達させる操作がなされた場合、前記複数のチャンネルフェーダのうち、目盛りの上限値に到達していないすべてのチャンネルフェーダを目盛りの上限値に移動させる。
また、本発明の第三の態様は、コンピュータで読み取り可能なプログラムであって、
前記プログラムは、前記コンピュータを、
複数のオーディオ機器の音量レベル操作を個別に受け付ける複数のチャンネルフェーダと、前記複数のオーディオ機器の音量レベル操作を一括して受け付けるマスタフェーダと、を有するコントロール画面をグラフィカルユーザインターフェースに表示して、前記複数のオーディオ機器に対する音量レベル操作を受け付ける音量操作受付手段と、
前記チャンネルフェーダ毎に、当該チャンネルフェーダに対応付けられた前記オーディオ機器の音量レベルを、当該チャンネルフェーダが指示する目盛り値に応じた音量レベルに調整するための制御信号を出力する制御信号出力手段と、
を備えた音量レベル操作装置として機能させ、
前記マスタフェーダは、
前記複数のチャンネルフェーダがそれぞれ指示している目盛り値のうちの最小値および最大値に応じた幅を有し、前記最小値と同じ目盛り値を指示する位置に、前記マスタフェーダの一方の端部である最小値側端部が表示され、かつ前記最大値と同じ目盛り値を指示する位置に、前記マスタフェーダの他方の端部である最大値側端部が表示され、
前記音量操作受付手段は、
前記コントロール画面において、前記複数のチャンネルフェーダを、これらのチャンネルフェーダが指示する目盛り値の差分を維持したまま、前記マスタフェーダの移動に合わせて当該マスタフェーダの移動方向と同方向に移動させ、
前記マスタフェーダの最小値側端部が目盛りの下限値に到達した状態で、前記マスタフェーダをダブルクリックする操作がなされた場合、前記複数のチャンネルフェーダのうち目盛りの下限値に到達していないすべてのチャンネルフェーダを目盛りの下限値に移動させ、
前記マスタフェーダの最大値側端部が目盛りの上限値に到達した状態で、前記マスタフェーダをダブルクリックする操作がなされた場合、前記複数のチャンネルフェーダのうち、目盛りの上限値に到達していないすべてのチャンネルフェーダを目盛りの上限値に移動させる。
【発明の効果】
【００１１】
本発明によれば、コントロール画面内の複数のチャンネルフェーダのうち、指示する目盛り値が最小のチャンネルフェーダが目盛りの下限値に到達した際に、マスタフェーダの最小値側端部も目盛りの下限値に到達し、かつ、コントロール画面内の複数のチャンネルフェーダのうち、指示する目盛り値が最大のチャンネルフェーダが目盛りの上限値に到達した際に、マスタフェーダの最大値側端部も目盛りの上限値に到達する。このため、マスタフェーダを、チャンネル間の相対的なバランスを保ったまま、目盛りの下限値および上限値まで移動させることが可能となり、目盛りに対するマスタフェーダの可動範囲を直感的に把握し易い。したがって、本発明によれば、複数のオーディオ機器に対する音量レベル操作の操作性を向上させることができる。
【図面の簡単な説明】
【００１２】
【図１】図１は、本発明の一実施の形態に係るオーディオシステムの概略構成図である。
【図２】図２は、音量レベル操作端末２の概略機能構成図である。
【図３】図３は、音量レベル操作端末２の動作を説明するためのフロー図である。
【図４】図４は、図３に示すチャンネルフェーダ更新処理（Ｓ４）を説明するためのフロー図である。
【図５】図５は、図３に示すマスタフェーダ更新処理（Ｓ６）を説明するためのフロー図である。
【図６】図６は、コントロール画面２５の一例を模式的に表した図である。
【図７】図７は、マスタフェーダ２７の最小値側端部２７１が目盛り２７０の下限値に到達した状態のコントロール画面２５の一例を模式的に表した図である。
【図８】図８は、マスタフェーダ２７の最小値側端部２７１が目盛り２７０の下限値に到達した状態で、マスタフェーダ２７の最大値側端部２７２が目盛り２７０の下限値側に移動操作された場合におけるコントロール画面２５の一例を模式的に表した図である。
【図９】図９は、マスタフェーダ２７の最小値側端部２７１が目盛り２７０の下限値に到達した状態で、マスタフェーダ２７の最大値側端部２７２が目盛り２７０の下限値まで移動操作された場合におけるコントロール画面２５の一例を模式的に表した図である。
【図１０】図１０は、マスタフェーダ２７の最大値側端部２７２が目盛り２７０の上限値に到達した状態のコントロール画面２５の一例を模式的に表した図である。
【図１１】図１１は、マスタフェーダ２７の最大値側端部２７２が目盛り２７０の上限値に到達した状態で、マスタフェーダ２７の最小値側端部２７１が目盛り２７０の上限値側に移動操作された場合におけるコントロール画面２５の一例を模式的に表した図である。
【図１２】図１２は、マスタフェーダ２７の最大値側端部２７２が目盛り２７０の上限値に到達した状態で、マスタフェーダ２７の最小値側端部２７１が目盛り２７０の上限値まで移動操作された場合におけるコントロール画面２５の一例を模式的に表した図である。
【発明を実施するための形態】
【００１３】
以下、本発明の一実施の形態について、図面を参照して説明する。
【００１４】
図１は、本実施の形態に係るオーディオシステムの概略構成図である。
【００１５】
図示するように、本実施の形態に係るオーディオシステムは、複数のワイヤレスネットワーク対応スピーカ１−１〜１−４（以下、単にワイヤレスネットワーク対応スピーカ１とも呼ぶ）と、音量レベル操作端末２と、ネットワーク５に接続されたメディアサーバ３と、を備えて構成される。それぞれのワイヤレスネットワーク対応スピーカ１は、アクセスポイント４を介してネットワーク５に接続されており、メディアサーバ３からオーディオデータを取得して再生出力する。音量レベル操作端末２は、ワイヤレスネットワークに対応しており、ユーザによる音量レベル操作に応じて、アクセスポイント４を介して各ワイヤレスネットワーク対応スピーカ１の音量レベルを調整する。
【００１６】
図２は、音量レベル操作端末２の概略機能構成図である。この図に示す音量レベル操作端末２の機能構成は、例えば、ＣＰＵ、メモリ、ＳＳＤ等の補助記憶装置、タッチパネル、デイスプレイ、ポインティングデバイス等の入出力装置、および無線ＬＡＮアダプタ等の通信装置を備えたスマートホン、タブレットＰＣ、ＰＤＡ、携帯電話機等のコンピュータにおいて、ＣＰＵが所定のプログラムを補助記憶装置からメモリ上にロードして実行することにより実現される。
【００１７】
図示するように、音量レベル操作端末２は、ワイヤレスネットワークインターフェース部２０と、グラフィカルユーザインターフェース部２１と、音量レベル操作受付部２２と、制御信号出力部２３と、を有する。
【００１８】
ワイヤレスネットワークインターフェース部２０は、アクセスポイント４を介してワイヤレスネットワーク対応スピーカ１と通信したり、ネットワーク５に接続されたメディアサーバ３と通信したりするためのインターフェースである。
【００１９】
グラフィカルユーザインターフェース部２１は、情報を表示したり、ユーザから各種操作を受け付けたりするためのインターフェースである。
【００２０】
音量レベル操作受付部２２は、グラフィカルユーザインターフェース部２１を介して、ユーザからワイヤレスネットワーク対応スピーカ１の音量レベル操作を受け付ける。
【００２１】
制御信号出力部２３は、ワイヤレスネットワークインターフェース部２０を介してワイヤレスネットワーク対応スピーカ１に音量レベル調整のための制御信号を出力する。
【００２２】
図３は、音量レベル操作端末２の動作を説明するためのフロー図である。このフローは、音量レベル操作受付部２２がグラフィカルユーザインターフェース部２１を介してユーザから音量レベル操作の開始指示を受け付けることにより開始される。
【００２３】
まず、音量レベル操作受付部２２は、ワイヤレスネットワークインターフェース部２０を介して各ワイヤレスネットワーク対応スピーカ１から音量レベルを取得する（Ｓ１）。なお、各ワイヤレスネットワーク対応スピーカ１から音量レベルを取得する代わりに、ワイヤレスネットワーク対応スピーカ１毎に、音量レベル操作端末２が最後に出力した制御信号により特定される音量レベルを記憶しておくことにより、各ワイヤレスネットワーク対応スピーカ１の音量レベルを取得するようにしてもよい。
【００２４】
つぎに、音量レベル操作受付部２２は、各ワイヤレスネットワーク対応スピーカ１の音量レベルを用いて、ユーザからワイヤレスネットワーク対応スピーカ１の音量レベル操作を受け付けるためのコントロール画面２５を生成し、このコントロール画面２５をグラフィカルユーザインターフェース部２１に表示する（Ｓ２）。
【００２５】
図６は、コントロール画面２５の一例を模式的に表した図である。図示するように、コントロール画面２５は、対応付けられたワイヤレスネットワーク対応スピーカ１の音量レベル操作を個別に受け付ける複数のチャンネルフェーダ２６−１〜２６−４（以下、単にチャンネルフェーダ２６とも呼ぶ）と、すべてのワイヤレスネットワーク対応スピーカ１の音量レベル操作を一括して受け付けるマスタフェーダ２７と、を有する。ここで、ＣＨ１のチャンネルフェーダ２６−１は、ワイヤレスネットワーク対応スピーカ１−１に対応付けられ、ＣＨ２のチャンネルフェーダ２６−２は、ワイヤレスネットワーク対応スピーカ１−２に対応付けられ、ＣＨ３のチャンネルフェーダ２６−３は、ワイヤレスネットワーク対応スピーカ１−３に対応付けられ、そして、ＣＨ４のチャンネルフェーダ２６−４は、ワイヤレスネットワーク対応スピーカ１−４に対応付けられているものとする。なお、対応するチャンネルフェーダ２６がコントロール画面２５に表示されるワイヤレスネットワーク対応スピーカ１を、オーディオシステムを構成するワイヤレスネットワーク対応スピーカ１の中からユーザが１つずつ選択あるいは複数まとめて一括選択できるようにしてもよい。または、オーディオシステムを構成する複数のワイヤレスネットワーク対応スピーカ１を１つ以上のグループにグルーピングしたグループ設定を保存できるようにしておき、このグループ設定に規定されたグループの中から、ユーザにより選択されたグループを構成するワイヤレスネットワーク対応スピーカ１に対応するチャンネルフェーダ２６がコントロール画面２５に表示されるようにしてもよい。
【００２６】
コントロール画面２５において、各チャンネルフェーダ２６は、そのチャンネルフェーダ２６が指示する対応目盛り２６０上の目盛り値の位置に配置され、そのチャンネルフェーダ２６またはマスタフェーダ２７に対する操作に応じて、対応目盛り２６０の目盛り範囲（上限値〜下限値）で、この目盛り２６０に沿ってスライドする。一方、マスタフェーダ２７は、対応目盛り２７０上の位置に配置され、マスタフェーダ２７またはいずれかのチャンネルフェーダ２６に対する操作に応じて、対応目盛り２７０の目盛り範囲（上限値〜下限値）で、この目盛り２７０に沿ってスライドまたは伸縮する。このマスタフェーダ２７は、各チャンネルフェーダ２６が指示している目盛り値のなかの最小値および最大値に応じた幅Ｗを有しており、この最小値と同じ目盛り値の位置に一方の端部（以下、最小値側端部と呼ぶ）２７１が表示され、かつこの最大値と同じ目盛り値の位置に他方の端部（以下、最大値側端部と呼ぶ）２７２が表示される。図６では、チャンネルフェーダ２６−４が指示している目盛り値「３０」が最小値であり、チャンネルフェーダ２６−２が指示している目盛り値「６０」が最大値であるため、マスタフェーダ２７の最小値側端部２７１は目盛り値「３０」を指示し、最大値側端部２７２は目盛り値「６０」を指示している。
【００２７】
ここで、各チャンネルフェーダ２６の目盛り２６０およびマスタフェーダ２７の目盛り２７０は、共通の上限値から共通の下限値までの同じ目盛り範囲（図６では下限値０〜上限値１００）および同じ目盛り間隔Ｄを有し、かつ、すべての目盛り２６０、２７０の同じ目盛り値が所定の方向（図６では水平方向）に一列に並ぶように配置される。なお、本実施の形態では、各チャンネルフェーダ２６の目盛り２６０およびマスタフェーダ２７の目盛り２７０として、同じ目盛り値が水平方向に一列に並ぶように配置された上下方向の目盛りを用いているが、同じ目盛り値が上下方向に一列に並ぶように配置された水平方向の目盛り、または、同じ目盛り値が同じ中心角の位置に配置された円周方向の目盛り（回転ノブ）等を用いてもよい。
【００２８】
つぎに、音量レベル操作受付部２２は、グラフィカルユーザインターフェース部２１を介してユーザから何らかの操作がなされるのを待つ（Ｓ３）。そして、コントロール画面２５のいずれかのチャンネルフェーダ２６が操作されたならば（Ｓ３でＹＥＳ）、後述のチャンネルフェーダ更新処理を実施し（Ｓ４）、マスタフェーダ２７が操作されたならば（Ｓ５でＹＥＳ）、後述のマスタフェーダ更新処理を実施する（Ｓ６）。
【００２９】
また、音量レベル操作受付部２２は、グラフィカルユーザインターフェース部２１を介してユーザから音量レベル操作の終了指示を受け付けた場合（Ｓ７でＹＥＳ）、このフローを終了する。
【００３０】
図４は、図３に示すチャンネルフェーダ更新処理（Ｓ４）を説明するためのフロー図である。
【００３１】
まず、音量レベル操作受付部２２は、グラフィカルユーザインターフェース部２１を介してユーザにより操作されたチャンネルフェーダ（以下、操作対象チャンネルフェーダと呼ぶ）２６の目盛り２６０に対する表示位置を、ユーザの操作内容（移動方向および移動量）に従って更新する（Ｓ４０）。
【００３２】
つぎに、音量レベル操作受付部２２は、操作対象チャンネルフェーダ２６が指示する目盛り値を特定し、この目盛り値を、操作対象チャンネルフェーダ２６に対応付けられたワイヤレスネットワーク対応スピーカ１のアドレス情報とともに制御信号出力部２３に通知する。これを受けて、制御信号出力部２３は、音量レベル操作受付部２２より受け取った目盛り値に応じた音量レベルに調整するための制御信号を生成する。そして、この制御信号を、音量レベル操作受付部２２より受け取ったアドレス情報により特定されるワイヤレスネットワーク対応スピーカ１に、ワイヤレスネットワークインターフェース部２０を介して送信する（Ｓ４１）。
【００３３】
つぎに、音量レベル操作受付部２２は、操作対象チャンネルフェーダ２６が指示する目盛り値が、各チャンネルフェーダ２６が指示する目盛り値のうちの最小値ならば（Ｓ４２でＹＥＳ）、目盛り２７０におけるマスタフェーダ２７の最小値側端部２７１の表示位置を、操作対象チャンネルフェーダ２６が指示する目盛り値と同じ目盛り値の位置に更新して、マスタフェーダ２７の幅Ｗを変更する（Ｓ４３）。その後、図３のＳ７へ進む。
【００３４】
また、音量レベル操作受付部２２は、操作対象チャンネルフェーダ２６が指示する目盛り値が、各チャンネルフェーダ２６が指示する目盛り値のうちの最大値ならば（Ｓ４４でＹＥＳ）、目盛り２７０におけるマスタフェーダ２７の最大値側端部２７２の表示位置を、操作対象チャンネルフェーダ２６が指示する目盛り値と同じ目盛り値の位置に更新して、マスタフェーダ２７の幅Ｗを変更する（Ｓ４５）。その後、図３のＳ７へ進む。
【００３５】
また、音量レベル操作受付部２２は、操作対象チャンネルフェーダ２６が指示する目盛り値が、各チャンネルフェーダ２６が指示する目盛り値のうちの最小値でなく（Ｓ４２でＮＯ）、かつ最大値でもないならば（Ｓ４４でＮＯ）、マスタフェーダ２７の幅Ｗを変更することなく、図３のＳ７に進む。
【００３６】
図５は、図３に示すマスタフェーダ更新処理（Ｓ６）を説明するためのフロー図である。
【００３７】
まず、音量レベル操作受付部２２は、グラフィカルユーザインターフェース部２１を介してユーザにより操作されたマスタフェーダ２７の移動方向を解析する（Ｓ６００）。マスタフェーダ２７の移動方向が、目盛り２７０の下限値側ならば（Ｓ６００で「下限値側」）、Ｓ６１０に進み、チャンネルフェーダ２６−１〜２６−４のなかに、対応目盛り２６０の下限値の位置に到達しているチャンネルフェーダ２６があるか否かを調べ、一方、マスタフェーダ２７の移動方向が目盛り２７０の上限値側ならば（Ｓ６００で「上限値側」）、Ｓ６２０に進み、チャンネルフェーダ２６−１〜２６−４のなかに、対応目盛り２６０の上限値の位置に到達しているチャンネルフェーダ２６があるか否かを調べる。
【００３８】
Ｓ６１０において、いずれのチャンネルフェーダ２６も対応目盛り２６０の下限値の位置に到達していない場合（Ｓ６１０でＮＯ）、あるいは、Ｓ６２０において、いずれのチャンネルフェーダ２６も、対応する目盛り２６０の上限値の位置に到達していない場合（Ｓ６２０でＮＯ）、音量レベル操作受付部２２は、目盛り２７０におけるマスタフェーダ２７の表示位置を、ユーザの操作内容（移動方向および移動量）に従って更新する（Ｓ６３０）。
【００３９】
つぎに、音量レベル操作受付部２２は、各チャンネルフェーダ２６の表示位置を、マスタフェーダ２７の移動方向に、マスタフェーダ２７の移動量だけ移動する（Ｓ６３１）。その結果、各チャンネルフェーダ２６は、各チャンネルフェーダ２６が指示する目盛り値の差分（チャンネルフェーダ２６−１〜２６−４の位置関係）を維持したまま、マスタフェーダ２７の移動に合わせてマスタフェーダ２７の移動方向に移動する。
【００４０】
それから、音量レベル操作受付部２２は、各チャンネルフェーダ２６が指示する目盛り値を特定する。そして、チャンネルフェーダ２６毎に、目盛り値と、チャンネルフェーダ２６に対応付けられたワイヤレスネットワーク対応スピーカ１のアドレス情報とを制御信号出力部２３に通知する。これを受けて、制御信号出力部２３は、チャンネルフェーダ２６毎に、音量レベル操作受付部２２より受け取った目盛り値に応じた音量レベルに調整するための制御信号を生成し、この制御信号を、音量レベル操作受付部２２より受け取ったアドレス情報により特定されるワイヤレスネットワーク対応スピーカ１に、ワイヤレスネットワークインターフェース部２０を介して送信する（Ｓ６３２）。その後、図３のＳ７に進む。
【００４１】
一方、Ｓ６１０において、図７に示すように、チャンネルフェーダ２６−１〜２６−４のなかに、対応目盛り２６０の下限値に到達済みのチャンネルフェーダ２６（図７ではチャンネルフェーダ２６−４）があり、マスタフェーダ２７の最小値側端部２７１が目盛り２７０の下限値に到達している場合（Ｓ６１０でＹＥＳ）、音量レベル操作受付部２２は、マスタフェーダ２７の操作がマスタフェーダ２７の最大値側端部２７２を選択されてなされたものであるか否かを判断する（Ｓ６１１）。なお、いずれかのチャンネルフェーダ２６が目盛り２６０の下限値に到達している場合、目盛り２７０の下限値に向かうマスタフェーダ２７の移動が制限されることをユーザが直感的に把握できるように、例えば、マスタフェーダ２７、マスタフェーダ２７の最大値側端部２７２等の表示形態（色等）を変え、ユーザにマスタフェーダ２７の最大値側端部２７２の操作を促すようにしてもよい。
【００４２】
Ｓ６１１において、マスタフェーダ２７の操作がマスタフェーダ２７の最大値側端部２７２を選択されてなされたものでない場合は（Ｓ６１１でＮＯ）、各チャンネルフェーダ２６およびマスタフェーダ２７の表示を変更することなく、図３のＳ７に進む。一方、マスタフェーダ２７の操作がマスタフェーダ２７の最大値側端部２７２を選択されてなされたものである場合（Ｓ６１１でＹＥＳ）、音量レベル操作受付部２２は、目盛り２７０におけるマスタフェーダ２７の最大値側端部２７２の表示位置を、ユーザの操作内容（移動方向および移動量）に従って更新する（Ｓ６１２）。その結果、マスタフェーダ２７の幅Ｗが狭くなる。また、対応目盛り２６０の下限値に到達済みのチャンネルフェーダ２６−４以外のすべてのチャンネルフェーダ２６−１〜２６−３、つまり、対応目盛り２６０の下限値の位置に到達していないチャンネルフェーダ２６−１〜２６−３の表示位置を、マスタフェーダ２７の最大値側端部２７２の移動方向に、マスタフェーダ２７の最大値側端部２７２の移動量だけ移動する（Ｓ６１３）。なお、マスタフェーダ２７の最大値側端部２７２の移動量分の移動が完了するまでの間に、いずれかチャンネルフェーダ２６−１〜２６−３が対応目盛り２６０の下限値の位置に到達した場合、対応目盛り２６０の下限値の位置に未到達の他のチャンネルフェーダのみ移動を継続する。
【００４３】
図８は、図７に示すコントロール画面２５において、チャンネルフェーダ２６−１が指示する目盛り値が対応目盛り２６０の下限値となるまでマスタフェーダ２７の最大値側端部２７２が目盛り２７０の下限値側に移動操作された状態を模式的に表している。図７に比べて、マスタフェーダ２７の最大値側端部２７２の移動量分、マスタフェーダ２７の幅Ｗが狭くなっている。また、対応目盛り２６０の下限値に未到達のチャンネルフェーダ２６−１〜２６−３のみが、マスタフェーダ２７の最大値側端部２７２の移動量分、対応目盛り２６０の下限値側に移動し、指示する目盛り値が移動量分だけ減少している。
【００４４】
図９は、図８に示すコントロール画面２５において、チャンネルフェーダ２６−２が指示する目盛り値が対応目盛り２６０の下限値となるまで、マスタフェーダ２７の最大値側端部２７２が目盛り２７０の下限値側に移動操作された状態を模式的に表している。チャンネルフェーダ２６−１〜２６−４のなかで最大の目盛り値を指示しているチャンネルフェーダ２６−２が対応目盛り２６０の下限値の位置に到達するまでマスタフェーダ２７の最大値側端部２７２が目盛り２７０の下限値側に移動操作されたことにより、すべてのチャンネルフェーダ２６−１〜２６−４が指示する目盛り値が対応目盛り２６０の下限値となっている。また、マスタフェーダ２７の最大値側端部２７２と最小値側端部２７１とが重なって目盛り２７０の下限値の位置に表示されている。
【００４５】
つぎに、音量レベル操作受付部２２は、各チャンネルフェーダ２６が対応目盛り２６０上で指示する目盛り値を特定する。そして、チャンネルフェーダ２６毎に、目盛り値と、チャンネルフェーダ２６に対応付けられたワイヤレスネットワーク対応スピーカ１のアドレス情報とを制御信号出力部２３に通知する。これを受けて、制御信号出力部２３は、チャンネルフェーダ２６毎に、音量レベル操作受付部２２より受け取った目盛り値に応じた音量レベルに調整するための制御信号を生成し、この制御信号を、音量レベル操作受付部２２より受け取ったアドレス情報により特定されるワイヤレスネットワーク対応スピーカ１に、ワイヤレスネットワークインターフェース部２０を介して送信する（Ｓ６３２）。この際、音量レベルに変更のないワイヤレスネットワーク対応スピーカ１に対しては、制御信号を送信しなくてもよい。その後、図３のＳ７に進む。
【００４６】
また、Ｓ６２０において、図１０に示すように、指示する目盛り値が目盛り２６０の上限値に到達済みのチャンネルフェーダ２６（図１０ではチャンネルフェーダ２６−２）がある場合（Ｓ６２０でＹＥＳ）、音量レベル操作受付部２２は、マスタフェーダ２７の操作がマスタフェーダ２７の最小値側端部２７１を選択されてなされたものであるか否かを判断する（Ｓ６２１）。なお、いずれかのチャンネルフェーダ２６−１〜２６−４が目盛り２６０の上限値に到達している場合、目盛り２７０の上限値に向かうマスタフェーダ２７の移動が制限されることをユーザが直感的に把握できるように、例えば、マスタフェーダ２７、マスタフェーダ２７の最小値側端部２７１等の表示形態（例えば色）を変え、ユーザにマスタフェーダ２７の最小値側端部２７１の操作を促すようにしてもよい。
【００４７】
Ｓ６２１において、マスタフェーダ２７の操作がマスタフェーダ２７の最小値側端部２７１を選択されてなされたものでない場合は（Ｓ６２１でＮＯ）、各チャンネルフェーダ２６およびマスタフェーダ２７の表示を変更することなく、図３のＳ７に進む。一方、マスタフェーダ２７の操作がマスタフェーダ２７の最小値側端部２７１を選択されてなされたものである場合（Ｓ６２１でＹＥＳ）、音量レベル操作受付部２２は、目盛り２７０におけるマスタフェーダ２７の最小値側端部２７１の表示位置を、ユーザの操作内容（移動方向および移動量）に従って更新する（Ｓ６２２）。その結果、マスタフェーダ２７の幅Ｗが狭くなる。また、対応目盛り２６０の上限値に到達済みのチャンネルフェーダ２６−２以外のすべてのチャンネルフェーダ２６−１、２６−３、２６−４、つまり、対応目盛り２６０の上限値の位置に到達していないチャンネルフェーダ２６−１、２６−３、２６−４の表示位置を、マスタフェーダ２７の最小値側端部２７１の移動方向に、マスタフェーダ２７の最小値側端部２７１の移動量だけ移動する（Ｓ６２３）。なお、マスタフェーダ２７の最大値側端部２７２の移動量分の移動が完了するまでの間に、いずれかチャンネルフェーダ２６−１、２６−３、２６−４が対応目盛り２６０の上限値の位置に到達した場合には、対応目盛り２６０の上限値に未到達の他のチャンネルフェーダのみ移動を継続する。
【００４８】
図１１は、図１０に示すコントロール画面２５において、チャンネルフェーダ２６−３が指示する目盛り値が対応目盛り２６０の上限値となるまでマスタフェーダ２７の最小値側端部２７１が目盛り２７０の上限値側に移動操作された状態を模式的に表している。図１０に比べて、マスタフェーダ２７の最小値側端部２７１の移動量分、マスタフェーダ２７の幅Ｗが狭くなっている。また、対応目盛り２６０の上限値に未到達のチャンネルフェーダ２６−１、２６−３、２６−４のみが、マスタフェーダ２７の最小値側端部２７１の移動量分、対応目盛り２６０の上限値側に移動し、指示する目盛り値が移動量分だけ増加している。
【００４９】
図１２は、図１１に示すコントロール画面２５において、チャンネルフェーダ２６−４が指示する目盛り値が対応目盛り２６０の上限値となるまでマスタフェーダ２７の最小値側端部２７１が目盛り２７０の上限値側に移動操作された状態を模式的に表している。チャンネルフェーダ２６−１〜２６−４のなかで最小の目盛り値を指示しているチャンネルフェーダ２６−４が対応目盛り２６０の上限値の位置に到達するまでマスタフェーダ２７の最小値側端部２７１が目盛り２７０の上限値側に移動操作されたことにより、すべてのチャンネルフェーダ２６−１〜２６−４が指示する目盛り値が対応目盛り２６０の上限値となっている。また、マスタフェーダ２７の最小値側端部２７１と最大値側端部２７２とが重なって目盛り２７０の上限値の位置に表示される。
【００５０】
つぎに、音量レベル操作受付部２２は、各チャンネルフェーダ２６が指示する目盛り値を特定する。そして、チャンネルフェーダ２６毎に、目盛り値と、チャンネルフェーダ２６に対応付けられたワイヤレスネットワーク対応スピーカ１のアドレス情報とを制御信号出力部２３に通知する。これを受けて、制御信号出力部２３は、チャンネルフェーダ２６毎に、音量レベル操作受付部２２より受け取った目盛り値に応じた音量レベルに調整するための制御信号を生成し、この制御信号を、音量レベル操作受付部２２より受け取ったアドレス情報により特定されるワイヤレスネットワーク対応スピーカ１に、ワイヤレスネットワークインターフェース部２０を介して送信する（Ｓ６３２）。この際、音量レベルに変更のないワイヤレスネットワーク対応スピーカ１に対しては、制御信号を送信しなくてもよい。その後、図３のＳ７に進む。
【００５１】
以上、本発明の一実施の形態について説明した。
【００５２】
本実施の形態では、コントロール画面２５内の複数のチャンネルフェーダ２６がそれぞれ指示している目盛り値のうちの最小値と同じ目盛り値を指示する位置にマスタフェーダ２７の最小値側端部２７１を表示させ、かつこれらのチャンネルフェーダ２６がそれぞれ指示している目盛り値のうちの最大値と同じ目盛りの値を指示する位置にマスタフェーダ２７の最大値側端部２７２を表示させて、マスタフェーダ２７に、これらのチャンネルフェーダ２６が指示している目盛り値の最小値および最大値に応じた幅Ｗを持たせている。これにより、コントロール画面２５内の複数のチャンネルフェーダ２６のなかで最小の目盛り値を指示しているチャンネルフェーダ２６が対応目盛り２６０の下限値の位置に到達した際に、マスタフェーダ２７の最小値側端部２７１も目盛り２７０の下限値の位置に到達し（図７参照）、かつ、コントロール画面２５内の複数のチャンネルフェーダ２６のなかで最大の目盛り値を指示しているチャンネルフェーダ２６が対応目盛り２６０の上限値の位置に到達した際に、マスタフェーダ２７の最大値側端部２７２も目盛り２７０の上限値の位置に到達する（図１０参照）。このため、マスタフェーダ２７を目盛り２７０の下限値および上限値の位置まで移動させることが可能となり、目盛り２７０に対するマスタフェーダ２７の可動範囲を直感的に把握し易い。したがって、複数のワイヤレスネットワーク対応スピーカ１に対する音量レベル操作の操作性を向上させることができる。
【００５３】
また、本実施の形態では、マスタフェーダ２７の最小値側端部２７１が目盛り２７０の下限値の位置に到達した状態で、マスタフェーダ２７の最大値側端部２７２を目盛り２７０の下限値側に移動させる操作を受け付けた場合、コントロール画面２５内の複数のチャンネルフェーダ２６のうち、対応目盛り２６０の下限値の位置に到達していないチャンネルフェーダ２６を、マスタフェーダ２７の最大値側端部２７２の移動に合わせて、対応目盛り２６０の下限値側に移動させている（図８、図９参照）。このため、マスタフェーダ２７に対する操作のみで、コントロール画面２５内のすべてのチャンネルフェーダ２６を対応目盛り２６０の下限値の位置まで移動させることができ、これらのチャンネルフェーダ２６を個別に操作する必要がない。したがって、複数のワイヤレスネットワーク対応スピーカ１に対する音量レベル操作の操作性をさらに向上させることができる。
【００５４】
さらに、本実施の形態では、マスタフェーダ２７の最大値側端部２７２が目盛り２７０の上限値に到達した状態で、マスタフェーダ２７の最小値側端部２７１を目盛り２７０の上限値側に移動させる操作を受け付けた場合、コントロール画面２５内の複数のチャンネルフェーダ２６のうち、対応目盛り２６０の上限値の位置に到達していないチャンネルフェーダ２６を、マスタフェーダ２７の最小値側端部２７１の移動に合わせて、対応目盛り２６０の上限値側に移動させている（図１１、図１２参照）。このため、マスタフェーダ２７に対する操作のみで、コントロール画面２５内のすべてのチャンネルフェーダ２６を対応目盛り２６０の上限値まで移動させることができ、これらのチャンネルフェーダ２６を個別に操作する必要がない。したがって、複数のワイヤレスネットワーク対応スピーカ１に対する音量レベル操作の操作性をさらに向上させることができる。
【００５５】
なお、本発明は上記の実施の形態に限定されるものではなく、その要旨の範囲内で数々の変形が可能である。
【００５６】
例えば、上記の実施の形態では、マスタフェーダ２７の最小値側端部２７１が目盛り２７０の下限値に到達した状態で、マスタフェーダ２７の最大値側端部２７２を目盛り２７０の下限値側に移動させる操作を受け付けた場合に、コントロール画面２５内の複数のチャンネルフェーダ２６のうち対応目盛り２６０の下限値の位置に到達していないチャンネルフェーダ２６を、マスタフェーダ２７の最大値側端部２７２の移動に合わせて、対応目盛り２６０の下限値側に移動させている。しかし、本発明はこれに限定されない。マスタフェーダ２７の最小値側端部２７１が目盛り２７０の下限値に到達した状態において、マスタフェーダ２７を操作して、マスタフェーダ２７の最小値側端部２７１を目盛り２７０の下限値から一旦離して、所定時間内に再び目盛り２７０の下限値に到達させたり、マスタフェーダ２７をダブルクリックしたりする等、マスタフェーダ２７に対して所定の操作がなされた場合、コントロール画面２５内の複数のチャンネルフェーダ２６のうち、目盛り２６０の下限値の位置に到達していないすべてのチャンネルフェーダ２６を目盛り２６０の下限値に移動させてもよい。このようにすることで、スマートホンのタッチパネル等、表示画面が小さい場合の操作性を向上させることができる。
【００５７】
また、上記の実施の形態では、マスタフェーダ２７の最大値側端部２７２が目盛り２７０の上限値の位置に到達した状態で、マスタフェーダ２７の最小値側端部２７１を目盛り２７０の上限値側に移動させる操作を受け付けた場合に、コントロール画面２５内の複数のチャンネルフェーダ２６のうち、対応目盛り２６０の上限値に到達していないチャンネルフェーダ２６を、マスタフェーダ２７の最小値側端部２７１の移動に合わせて、目盛り２６０の上限値側に移動させている。しかし、本発明はこれに限定されない。マスタフェーダ２７の最大値側端部２７２が目盛り２７０の上限値に到達した状態において、マスタフェーダ２７を操作して、マスタフェーダ２７の最大値側端部２７２を目盛り２７０の上限値から一旦離して、所定時間内に再び目盛り２７０の上限値に到達させたり、マスタフェーダ２７をダブルクリックしたりする等、マスタフェーダ２７に対して所定の操作がなされた場合、コントロール画面２５内の複数のチャンネルフェーダ２６のうち、目盛り２６０の上限値の位置に到達していないすべてのチャンネルフェーダ２６を対応目盛り２６０の上限値に移動させてもよい。このようにすることで、スマートホンのタッチパネル等、表示画面が小さい場合の操作性を向上させることができる。
【００５８】
また、上記の実施の形態では、音量レベル操作端末２がアクセスポイント４を介してワイヤレスネットワークに接続されている場合を例にとり説明したが、音量レベル操作端末２は、ワイヤレスネットワークを介さないで、直接、ネットワーク５に接続されたものでもよい。
【００５９】
また、上記の実施の形態では、メディアサーバ３をネットワーク５に接続しているが、メディアサーバ３は、アクセスポイント４を介してワイヤレスネットワークに接続されていてもよい。また、メディアサーバ３は、音量レベル操作端末２に内蔵されていてもよく、あるいはいずれかのワイヤレスネットワーク対応スピーカ１に内蔵されていてもよい。
【００６０】
また、上記の実施の形態では、音量レベル操作端末２がワイヤレスネットワーク対応スピーカ１の音量レベルを操作する場合を例にとり説明したが、本発明は、有線ネットワーク対応スピーカ等の音声出力機能を有する様々オーディオ装置の音量レベルを操作する場合に広く適用可能である。
【００６１】
また、上記の実施の形態においては、コントロール画面２５内に４つのチャンネルフェーダ２６を配置した例に挙げているが、コントロール画面２５内に配置するチャンネルフェーダ２６の数は適宜定めればよい。また、上記の実施の形態では、コントロール画面２５内のすべてのチャンネルフェーダ２６をマスタフェーダ２７に連動させているが、ユーザが選択したコントロール画面４内の任意の２以上のチャンネルフェーダ２６のみをマスタフェーダ２７に連動させるようにしてもよい。
【符号の説明】
【００６２】
１、１−１〜１−４：ワイヤレスネットワーク対応スピーカ、  ２：音量レベル操作端末、  ３：メディアサーバ、  ４：アクセスポイント、  ５：ネットワーク、  ２０：ワイヤレスネットワークインターフェース部、  ２１：グラフィカルユーザインターフェース部、  ２２：音量レベル操作受付部、  ２３：制御信号出力部、  ２５：コントロール画面、  ２６、２６−１〜２６−４：チャンネルフェーダ、  ２７：マスタフェーダ、  ２６０：チャンネルフェーダ２６の目盛り２７０：マスタフェーダ２７の目盛り、  ２７１：マスタフェーダ２７の最小値側端部、  ２７２：マスタフェーダ２７の最大値側端部
【図１】
0006529751.tif 000002
【図２】
0006529751.tif 000003
【図３】
0006529751.tif 000004
【図４】
0006529751.tif 000005
【図５】
0006529751.tif 000006
【図６】
0006529751.tif 000007
【図７】
0006529751.tif 000008
【図８】
0006529751.tif 000009
【図９】
0006529751.tif 000010
【図１０】
0006529751.tif 000011
【図１１】
0006529751.tif 000012
【図１２】
0006529751.tif 000013